(57)【要約】      （修正有）【課題】例えばパチンコ機やスロットマシンの前扉やガラス扉の施錠装置に好適で、不正工具による解錠ないし開扉を阻止し、前扉やガラス扉の施錠の防御能力を強化するようにした、遊技機等の施錠装置を提供すること。【解決手段】基枠に複数の係止片を取り付ける。前記基枠に主扉を回動可能に取り付ける。前記主扉の裏面にロックフレ−ム２１を取り付ける。前記ロックフレ−ム２１に複数のフック片３２〜３５を取り付ける。前記フック片３２〜３５を前記係止片に係合可能に配置する。前記ロックフレ−ム２１に制御フレ−ム２３を移動可能に取り付ける。前記制御フレ−ム２３の作動を、ロックフレ−ム２１に設けた錠前１４の作動に連係する。前記制御フレ−ム２３の作動を介して、前記フック片３２〜３５と係止片とを係脱可能に設ける。前記基枠に対し主扉を開閉かつ施解錠可能にした遊戯機等の施錠装置であること。【選択図】図９
2008023203.tif 000002
【特許請求の範囲】
【請求項１】
基枠に複数の係止片を取り付け、該基枠に主扉を回動可能に取り付け、前記主扉の裏面にロックフレ−ムを取り付け、該ロックフレ−ムに複数のフック片を取り付け、該フック片を前記係止片に係合可能に配置するとともに、前記ロックフレ−ムに制御フレ−ムを移動可能に取り付け、該制御フレ−ムの作動をロックフレ−ムに設けた錠前の作動に連係し、前記制御フレ−ムの作動を介して前記フック片と係止片とを係脱可能に設け、前記基枠に対し主扉を開閉かつ施解錠可能にした遊戯機等の施錠装置において、前記ロックフレ−ムに各一対のフック片を複数組設け、これら各一対のフック片を前記係止片の両側に対向配置するとともに、前記各一対のフック片を互いに近接離反動可能に設け、前記各係止片の両側を各一対のフック片を介して係脱可能にしたことを特徴とする遊戯機等の施錠装置
【請求項２】
前記一対のフック片のうち、一方のフック片をロックフレ−ムに沿って移動可能に設け、他方のフック片をロックフレ−ムに回動可能に連結した請求項１記載の遊技機等の施錠装置。
【請求項３】
前記各フック片の基端部に掛止片を設けるとともに、前記制御フレ−ムに前記掛止片を係合可能な切欠溝を設け、前記制御フレ−ムの作動を介し、前記各一対のフック片を互いに近接離反動可能にした請求項１記載の遊技機等の施錠装置。
【請求項４】
前記主扉の開扉時、一対のフック片の間に前記係止片を係入可能に設け、該係入前後に前記一対のフック片を互いに近接離反動可能に設け、前記係止片の両側を一対のフック片を介して係合可能にした請求項１記載の遊技機等の施錠装置。
【請求項５】
前記フック片の近接離反動に、前記制御フレ−ムの作動を連動可能にした請求項４記載の遊技機等の施錠装置。
【請求項６】
前記係止片に係合孔を設け、該係合孔にフック片の先端部を係脱可能に設けた請求項１記載の遊技機等の施錠装置。
【請求項７】
前記基枠に第２係止片を取り付け、該第２係止片に係合可能な第１ドアセンサレバ−を前記ロックフレ−ムに回動可能に設けるとともに、前記第１ドアセンサレバ−に係合可能な第２ドアセンサレバ−を前記ロックフレ−ムに回動可能に設け、該第２ドアセンサレバ−に係止片を設ける一方、前記制御フレ−ムに係止突起を設け、該係止突起を前記係止片の回動域に臨ませ、前記係止突起を係止片に係脱可能に配置した請求項１記載の遊技機等の施錠装置。
【請求項８】
前記第２ドアセンサレバ−にカムレバ−を突設し、該カムレバ−を錠前に同動可能に装着したカム板の係止爪に係合可能に配置した請求項７記載の遊技機等の施錠装置。
【請求項９】
前記第１および第２ドアセンサレバ−を同軸に同動かつ回動可能に設けた請求項７記載の遊技機等の施錠装置。
【請求項１０】
基枠に主扉を回動可能に取り付け、該主扉に副扉を回動可能に取り付け、前記主扉の裏面にロックフレ−ムを取り付け、該ロックフレ−ムに制御フレ−ムとサブロックフレ−ムとを移動可能に取り付け、これら制御フレ−ムとサブロックフレ−ムの作動をロックフレ−ムに設けた錠前の作動に連係し、前記サブロックフレ−ムに複数のフック片を突設し、該フック片を副扉の係合部に係合可能に配置し、前記副扉を主扉に開閉かつ施解錠可能にした遊戯機等の施錠装置において、前記ロックフレ−ムに扉制御レバ−を回動可能に設け、該扉制御レバ−の一端部に係止部を設けるとともに、前記サブロックフレ−ムの一端部に係合部を設け、該係合部を前記係止部の回動域に臨ませ、前記係止部と前記係合部を係脱可能に配置したことを特徴とする遊戯機等の施錠装置。
【請求項１１】
前記扉制御レバ−の他端部を、錠前に同動可能に装着したカム板の係止爪に係合可能に配置した請求項１０記載の遊技機等の施錠装置。
【請求項１２】
前記サブロックフレ−ムにドアセンサレバ−を出没可能に取り付け、副扉の開扉時、ドアセンサレバ−の先端部を副扉の枠板に係合可能に設けるとともに、副扉の解錠時、ドアセンサレバ−の基端部をサブロックフレ−ムに係合し、該サブロックフレ−ムの施錠方向の移動を阻止可能にした請求項１０記載の遊技機等の施錠装置。
【発明の詳細な説明】
【技術分野】
【０００１】
本発明は、例えばパチンコ機やスロットマシンの前扉やガラス扉の施錠装置に好適で、不正工具による解錠ないし開扉を阻止し、前扉やガラス扉の施錠の防御能力を強化するようにした遊技機等の施錠装置に関する。
【背景技術】
【０００２】
パチンコ機やスロットマシン等の遊技機は、前扉を本体枠に開閉可能に取り付け、該前扉枠にガラス扉を開閉可能に取り付け、それらを閉扉して施錠可能にするとともに、これらを解錠する場合はシリンダ−錠を共用し、該シリンダ−錠を左または右方向に回動して、前扉とガラス扉とを個々に解錠するようにしている（例えば、特許文献１乃至５参照）
【０００３】
しかし、前記従来の前扉と本体枠の施錠は、本体枠に設けた受け金具に単一の鉤部を掛け止め、またガラス扉と前扉枠との施錠は、係止ピンに単一の鉤部を掛け止めているため、前扉と本体枠との間、またはガラス扉と前扉枠との間に、薄厚の不正工具を差し込んで不正操作すると、鉤部が受け金具から掛け外れ、また鉤部が係止ピンから掛け外れて、前扉やガラス扉が容易に開扉され、不正操作を受け易いという問題があった。
【０００４】
一方、前記従来のガラス扉の解錠手段は、シリンダ−錠にキ−を単に逆方向に回動して、カム板に連係する作動板ないし作動杆を移動し、該板に設けた鉤部とガラス扉側の係止片との係合を解除するものや、キ−を逆方向に回動して鉤部を傾動させ、鉤部とガラス扉側の係止ピンとの係合を解除して行なっていた。
【０００５】
しかし、これらの手段は、シリンダ−錠のキ−操作によって作動板ないし作動杆の移動が簡単に許容され、ガラス扉が容易に開扉ないし解錠されて不正操作を受け易く、また鉤部を傾動させる機構は、ガラス扉の施解錠機構が複雑になる等の問題があった。
【０００６】
発明者は前記問題を解決するため、本体枠に設けた係止金具に二つのフック片を対向配置し、これらを互いに近接離反動させて、一つの係止金具を二つのフック片で掛け止め、不正工具による前扉の解錠ないし開扉を阻止し、前扉と本体枠の施錠の防御能力を強化するとともに、前扉に取り付けたガラス扉の施錠機構を簡潔にし、その防御能力を強化して、不正工具によるガラス扉の解錠ないし開扉を阻止し得る遊技機等の施錠装置を開発した
【０００７】
【特許文献１】実公昭５７−８８６７号公報
【特許文献２】実公昭５８−４５３８号公報
【特許文献３】特許第２９８１８５１号公報
【特許文献４】特許第２９１６７４３号公報
【特許文献５】特開２００４−７３６４５号公報
【発明の開示】
【発明が解決しようとする課題】
【０００８】
本発明は前述した従来の問題を解決し、例えばパチンコ機やスロットマシンの前扉やガラス扉の施錠装置に好適で、不正工具による解錠ないし開扉を阻止し、前扉やガラス扉の施錠の防御能力を強化するようにした、遊技機等の施錠装置を提供することを目的とする
【課題を解決するための手段】
【０００９】
請求項１の発明は、基枠に複数の係止片を取り付け、該基枠に主扉を回動可能に取り付け、前記主扉の裏面にロックフレ−ムを取り付け、該ロックフレ−ムに複数のフック片を取り付け、該フック片を前記係止片に係合可能に配置するとともに、前記ロックフレ−ムに制御フレ−ムを移動可能に取り付け、該制御フレ−ムの作動をロックフレ−ムに設けた錠前の作動に連係し、前記制御フレ−ムの作動を介して前記フック片と係止片とを係脱可能に設け、前記基枠に対し主扉を開閉かつ施解錠可能にした遊戯機等の施錠装置において、前記ロックフレ−ムに各一対のフック片を複数組設け、これら各一対のフック片を前記係止片の両側に対向配置するとともに、前記各一対のフック片を互いに近接離反動可能に設け、前記各係止片の両側を各一対のフック片を介して係脱可能にし、一つの係止片に一つのフック片を係合させる、従来のこの種施錠装置に比べ、主扉の不正工具による解錠ないし開扉を阻止し、主扉の施錠の防御能力を強化するようにしている。
【００１０】
請求項２の発明は、前記一対のフック片のうち、一方のフック片をロックフレ−ムに沿って移動可能に設け、他方のフック片をロックフレ−ムに回動可能に連結し、簡単な構成で一対のフック片の近接離反動と係脱作動を実現し得るようにしている。
請求項３の発明は、前記各フック片の基端部に掛止片を設けるとともに、前記制御フレ−ムに前記掛止片を係合可能な切欠溝を設け、前記制御フレ−ムの作動を介し、前記各一対のフック片を互いに近接離反動可能にし、一対のフック片の近接離反動と係脱作動を実現し得る具体的な機構を提案している。
【００１１】
請求項４の発明は、前記主扉の開扉時、一対のフック片の間に前記係止片を係入可能に設け、該係入前後に前記一対のフック片を互いに近接離反動可能に設け、前記係止片の両側を一対のフック片を介して係合可能にし、シリンダ−のキ−操作による解錠操作による、一対のフック片の近接離反動と係脱作動の他に、主扉の閉扉時において、フック片の間に係止片を係入させることによって、一対のフック片の近接離反動と係脱作動を実現し得るようにしている。
請求項５の発明は、前記フック片の近接離反動に、前記制御フレ−ムの作動を連動可能にし、フック片と制御フレ−ムとの双方向の作動を実現し得るようにしている。
請求項６の発明は、前記係止片に係合孔を設け、該係合孔にフック片の先端部を係脱可能に設け、係止片の端縁にフック片を係合する方法に比べ、係止片とフック片とを確実かつ強固に係合し、不正工作に対する主扉の防御能力を強化し得るようにしている。
【００１２】
請求項７の発明は、前記基枠に第２係止片を取り付け、該第２係止片に係合可能な第１ドアセンサレバ−を前記ロックフレ−ムに回動可能に設けるとともに、前記第１ドアセンサレバ−に係合可能な第２ドアセンサレバ−を前記ロックフレ−ムに回動可能に設け、該第２ドアセンサレバ−に係止片を設ける一方、前記制御フレ−ムに係止突起を設け、該係止突起を前記係止片の回動域に臨ませ、前記係止突起を係止片に係脱可能に配置し、主扉の開扉または閉扉状態を第１ドアセンサレバ−で感知し、これに第２ドアセンサレバ−を連係して、係止突起を係止片に係合させ、主扉の閉扉における不正解錠ないし開扉を機械的に阻止するとともに、係止突起と係止片との係合を解除することによって、主扉の開扉または解錠を実行可能にしている。
請求項８の発明は、前記第２ドアセンサレバ−にカムレバ−を突設し、該カムレバ−を錠前に同動可能に装着したカム板の係止爪に係合可能に配置し、前記係合によって主扉の開扉または解錠を実行可能にしている。
請求項９の発明は、前記第１および第２ドアセンサレバ−を同軸に同動かつ回動可能に設け、主扉の開扉または解錠を確実に実現するとともに、スペ−スのコンパクト化と構成の簡潔化を図れるようにしている。
【００１３】
請求項１０の発明は、基枠に主扉を回動可能に取り付け、該主扉に副扉を回動可能に取り付け、前記主扉の裏面にロックフレ−ムを取り付け、該ロックフレ−ムに制御フレ−ムとサブロックフレ−ムとを移動可能に取り付け、これら制御フレ−ムとサブロックフレ−ムの作動をロックフレ−ムに設けた錠前の作動に連係し、前記サブロックフレ−ムに複数のフック片を突設し、該フック片を副扉の係合部に係合可能に配置し、前記副扉を主扉に開閉かつ施解錠可能にした遊戯機等の施錠装置において、前記ロックフレ−ムに扉制御レバ−を回動可能に設け、該扉制御レバ−の一端部に係止部を設けるとともに、前記サブロックフレ−ムの一端部に係合部を設け、該係合部を前記係止部の回動域に臨ませ、前記係止部と前記係合部を係脱可能に配置し、前記係止部と係合部を係合させて、ガラス扉等の副扉の施錠時における不正解錠ないし不正開扉を阻止するとともに、前記係止部と係合部との係合を解除して、副扉の解錠ないし開扉を実行可能にしている。
【００１４】
請求項１１の発明は、前記扉制御レバ−の他端部を、錠前に同動可能に装着したカム板の係止爪に係合可能に配置し、前記扉制御レバ−の他端部を係止爪に係合させて、サブロックフレ−ムの施錠を解除し、副扉の解錠または開扉を実行可能にしている。
請求項１２の発明は、前記サブロックフレ−ムにドアセンサレバ−を出没可能に取り付け、副扉の開扉時、ドアセンサレバ−の先端部を副扉の枠板に係合可能に設けるとともに、副扉の解錠時、ドアセンサレバ−の基端部をサブロックフレ−ムに係合し、該サブロックフレ−ムの施錠方向の移動を阻止可能にし、ドアセンサレバ−によって副扉の開扉時、サブロックフレ−ムの施錠方向の移動を阻止し、前記フレ−ムの施錠方向の移動に伴う前記扉制御レバ−の他端部と係止爪との係合を未然に防止し、副扉の開扉時における施錠を防止し得るようにしている。
【発明の効果】
【００１５】
請求項１の発明は、ロックフレ−ムに各一対のフック片を複数組設け、これら各一対のフック片を前記係止片の両側に対向配置するとともに、前記各一対のフック片を互いに近接離反動可能に設け、前記各係止片の両側を各一対のフック片を介して係脱可能にしたから、一つの係止片に一つのフック片を係合させる、従来のこの種施錠装置に比べ、主扉の不正工具による解錠ないし開扉を阻止し、主扉の施錠の防御能力を強化することができる
請求項２の発明は、前記一対のフック片のうち、一方のフック片をロックフレ−ムに沿って移動可能に設け、他方のフック片をロックフレ−ムに回動可能に連結したから、簡単な構成で一対のフック片の近接離反動と係脱作動を実現することができる。
【００１６】
請求項３の発明は、前記各フック片の基端部に掛止片を設けるとともに、前記制御フレ−ムに前記掛止片を係合可能な切欠溝を設け、前記制御フレ−ムの作動を介し、前記各一対のフック片を互いに近接離反動可能にしたから、一対のフック片の近接離反動と係脱作動を実現し得る具体的な機構を提案することができる。
請求項４の発明は、前記主扉の開扉時、一対のフック片の間に前記係止片を係入可能に設け、該係入前後に前記一対のフック片を互いに近接離反動可能に設け、前記係止片の両側を一対のフック片を介して係合可能にしたから、シリンダ−のキ−操作による解錠操作による、一対のフック片の近接離反動と係脱作動の他に、主扉の閉扉時において、フック片の間に係止片を係入させることによって、一対のフック片の近接離反動と係脱作動を実現することができる。
【００１７】
請求項５の発明は、前記フック片の近接離反動に、前記制御フレ−ムの作動を連動可能にしたから、フック片と制御フレ−ムとの双方向の作動を実現することができる。
請求項６の発明は、前記係止片に係合孔を設け、該係合孔にフック片の先端部を係脱可能に設けたから、係止片の端縁にフック片を係合する方法に比べ、係止片とフック片とを確実かつ強固に係合し、不正工作に対する主扉の防御能力を強化することができる。
【００１８】
請求項７の発明は、前記基枠に第２係止片を取り付け、該第２係止片に係合可能な第１ドアセンサレバ−を前記ロックフレ−ムに回動可能に設けるとともに、前記第１ドアセンサレバ−に係合可能な第２ドアセンサレバ−を前記ロックフレ−ムに回動可能に設け、該第２ドアセンサレバ−に係止片を設ける一方、前記制御フレ−ムに係止突起を設け、該係止突起を前記係止片の回動域に臨ませ、前記係止突起を係止片に係脱可能に配置したから、主扉の開扉または閉扉状態を第１ドアセンサレバ−で感知し、これに第２ドアセンサレバ−を連係して、係止突起を係止片に係合させ、主扉の閉扉における不正解錠ないし開扉を機械的に阻止するとともに、係止突起と係止片との係合を解除することによって、主扉の開扉または解錠を実行することができる。
【００１９】
請求項８の発明は、前記第２ドアセンサレバ−にカムレバ−を突設し、該カムレバ−を錠前に同動可能に装着したカム板の係止爪に係合可能に配置したから、前記係合によって主扉の開扉または解錠を実行することができる。
請求項９の発明は、前記第１および第２ドアセンサレバ−を同軸に同動かつ回動可能に設けたから、主扉の開扉または解錠を確実に実現するとともに、スペ−スのコンパクト化と構成の簡潔化を図ることができる。
【００２０】
請求項１０の発明は、ロックフレ−ムに扉制御レバ−を回動可能に設け、該扉制御レバ−の一端部に係止部を設けるとともに、前記サブロックフレ−ムの一端部に係合部を設け、該係合部を前記係止部の回動域に臨ませ、前記係止部と前記係合部を係脱可能に配置したから、前記係止部と係合部を係合させて、ガラス扉等の副扉の施錠時における不正解錠ないし不正開扉を阻止するとともに、前記係止部と係合部との係合を解除して、副扉の解錠ないし開扉を実行することができる。
【００２１】
請求項１１の発明は、前記扉制御レバ−の他端部を、錠前に同動可能に装着したカム板の係止爪に係合可能に配置したから、前記扉制御レバ−の他端部を係止爪に係合させて、サブロックフレ−ムの施錠を解除し、副扉の解錠または開扉を実行することができる。
請求項１２の発明は、前記サブロックフレ−ムにドアセンサレバ−を出没可能に取り付け、副扉の開扉時、ドアセンサレバ−の先端部を副扉の枠板に係合可能に設けるとともに、副扉の解錠時、ドアセンサレバ−の基端部をサブロックフレ−ムに係合し、該サブロックフレ−ムの施錠方向の移動を阻止可能にしたから、ドアセンサレバ−によって副扉の開扉時、サブロックフレ−ムの施錠方向の移動を阻止し、前記フレ−ムの施錠方向の移動に伴う前記扉制御レバ−の他端部と係止爪との係合を未然に防止し、副扉の開扉時における施錠を防止し得る効果がある。
【発明を実施するための最良の形態】
【００２２】
以下、本発明を遊技機としてパチンコ機に適用した図示の実施形態について説明すると、図１乃至図２１において１,２はパチンコホ−ル等の屋内遊技室の所定位置に設けた、島を構成する上下一対の木製の固定枠で、該固定枠１,２の間にパチンコ機３を構成する基枠である本体枠４が複数並設して設置されている。
【００２３】
前記本体枠４は実施形態の場合、アルミニウムを押し出し成形した上下枠５,６と、左右の側枠７,８とを縦長矩形に枠組みして構成され、その側枠７に主扉である前扉９の吊元側が、蝶番（図示略）を介して回動可能に取り付けられている。
前記前扉９の前面に、ガラス窓１０を備えた副扉であるガラス扉１１が、前扉９と同側位置を吊元側として、蝶番（図示略）を介し回動可能に取り付けられ、また前扉９の裏面に、遊技用ゲ−ムの基板を内蔵した筐体１２が後方に突出している。
【００２４】
図中、１３は前記上下枠５,６と、左右の側枠７,８との隅角部を連結するＬ字形の補強金具、１４はガラス扉１１に前端面を表出したシリンダ−錠で、キ−（図示略）操作を介し前扉９とガラス扉１１を施解錠可能にしている。
【００２５】
すなわち、シリンダ錠１４は両扉９，１１の施錠位置を中心に左右方向へ略６０°回動可能にされ、前扉９の解錠時には一方向へ回動し、ガラス扉１１の解錠時には他方向へ回動可能にされている。
１５は上下枠５,６の長さ方向に形成した切欠溝で、その内側に木材等の連結板１６を装着し、該連結板１６に釘またビス（図示略）を内側から打ち込み、これを固定枠１,２に打ち込んで、本体枠４を固定枠１,２に取り付けている。
【００２６】
前記筐体１２の自由端部側面と相対する、側枠８内面の所望の上下位置に、第１係止片である略Ｌ字形断面の第１係止金具１７，１８がビス止めされ、その屈曲片１７ａ，１８ａの両側に、後述するフック片を係脱可能にしている。図中、１７ｂ，１８ｂは前記屈曲片１７ａ，１８ａの端縁を屈曲した係止片である。
前記係止金具１７，１８のうち、下側に配置した係止金具１８の隣接位置に、第２係止片である第２係止金具１９がビス止めされ、その一側端部に略Ｌ字形の係合片２０が形成され、該係合片２０に後述するレバ−を係合可能に配置している。
【００２７】
前記前扉９の自由端部側の裏面に、前扉用のロックフレ−ム２１が上下方向に配置され、該フレ−ム２１の上下位置に、後述する各一対のフック片が配置されていて、該フック片を、前扉９の閉扉時に前記第１係止金具１７，１８に係合可能にして、前扉９を本体枠４に施錠可能にしている。
また、前記ガラス扉１１の裏面に後述する係合孔が形成され、該係合孔に後述するガラス扉用フック片を係合して、ガラス扉１１を前扉９に施錠可能にしている。
【００２８】
前記ロックフレ−ム２１は鋼板を略Ｌ字形に屈曲して形成され、その一側片である取付片２１ａを、前記前扉９の自由端部側の裏面に密接してビス止めし、その他側片である起立片２１ｂを前扉９の裏面に起立して配置し、該起立片２１ｂの内面に若干短小なガラス扉用のサブロックフレ−ム２２を摺動可能に取り付け、該サブロックフレ−ム２２の外側に制御フレ−ム２３を摺動可能に取り付けている。
【００２９】
前記ロックフレ−ム２１の取付片２１ａは過半部が等幅に形成され、その中間部と下端部に縦長矩形のフック挿入孔２４，２５とレバ−挿入孔２６とが形成され、前記フック挿入孔２５より下方に若干幅広な幅広部２７が形成されている。
前記幅広部２７はロックフレ−ム２１の長さの略１／３に相当し、その上部側にシリンダ錠１４と一体のフランジ部２８がビス止めされている。
【００３０】
前記フランジ部２８にシリンダ錠１４の錠軸２９が突設され、該錠軸２９にカム板３０が同動可能に装着されている。前記カム板３０は略Ｖ字形状に形成され、その二つの係止爪３０ａ，３０ｂを後述する係合溝とカムレバ−に係合可能に配置している。図中、３１は取付片２１ａの端縁を屈曲した屈曲片である。
【００３１】
一方、前記起立片２１ｂの上下端部は幅広に形成され、該幅広部に各一対のフック片３２，３３と３４，３５が対向して配置されている。前記フック片３２〜３５は鋼板をプレス成形して屈曲形成され、その一対のフック片同士は互いに異形に形成され、かつこの二組を実質的に同一に構成している。
【００３２】
前記一組のフック片３２，３３または３４，３５は、上半部は略対称に形成され、下半部は異形に形成されていて、一方のフック片３２，３４は他方よりも幅広に形成され、それらの配置を各組で同様に配置している。
前記一方のフック片３２，３４の中間位置に縦長の長孔３６，３７が形成され、該長孔３６，３７にガイドピン３８，３９が挿入され、かつその軸端部が起立片２１ｂに嵌着されていて、シリンダ錠１４の施解錠時に、制御フレ−ム２３を介しフック片３２，３４を長孔３６，３７に沿って移動可能にしている。
すなわち、前扉９を開扉するシリンダ錠１４の解錠時、フック片３２，３４を上動し、該フック片３２，３４と第１係止金具１７，１８の屈曲片１７ａ，１８ａとの係合を解除可能にしている。
【００３３】
また、他方のフック片３３，３５の中間位置の上部に枢支ピン４０，４１が取り付けられ、その軸端部が起立片２１ｂに嵌着されていて、枢支ピン４０，４１を中心にフック片３３，３５を回動可能に支持している。
前記フック片３２〜３５の基端部に細幅の掛止片４２，４３、４４，４５が内側に屈曲形成され、それらは後述する制御フレ−ム２３の切欠溝に係合していて、シリンダ錠１４の施解錠時に制御フレ−ム２３を介し、フック片３３，３５を回動可能にしている。
すなわち、前扉９を開扉するシリンダ錠１４の解錠時、制御フレ−ム２３を上動し、フック片３３，３５を下向きに回動させて、フック片３３，３５と第１係止金具１７，１８の屈曲片１７ａ，１８ａとの係合を解除可能にしている。
【００３４】
この場合、一方のフック片３２，３４の肩部の端縁を屈曲して掛止片を形成し、また他方のフック片３３，３５の中間部の端縁を内側に屈曲して掛止片を形成し、この相対する掛止片の間にスプリングを掛け止め、該スプリングの弾性を介して、フック片３２，３４を他方のフック片３３，３５側に移動可能に付勢すれば、フック片３２〜３５の確実かつ安定した作動を得られる。
【００３５】
図中、４６は起立片２１ｂの中間部に形成した通孔、４７は起立片２１ｂの中間部下側に形成した切欠部で、これより下側の取付片２１ａが幅広に形成されている。
５０，５１は取付片２１ａと起立片２１ｂの内面の所定位置に突設した、各部材の位置決め用の係止突起である。
【００３６】
前記起立片２１ｂの下側の幅広部の直上に、筐体１２側へ突出する膨出部５２が設けられ、該膨出部５２に通孔５３が形成されている。前記通孔５３にピン５４の軸端が嵌着され、該ピン５４に略直線状の第１ドアセンサレバ−５５と、略Ｔ字形状の第２ドアセンサレバ−５６とが回動可能に取り付けられている。
【００３７】
前記第１ドアセンサレバ−５５と膨出部５２の端縁との間に、捩りバネ５７の両端部が掛け止められ、該捩りバネ５７の弾性を介して、第１ドアセンサレバ−５５をピン５４を中心に側枠８方向へ回動可能に付勢している。
そして、前扉９の閉扉時、第１ドアセンサレバ−５５は、一端に設けた係合片５８を側枠８の端面に係合可能に配置し、この他端に設けた係合片５９を、第２ドアセンサレバ−５６の一端の係合片６０に係合可能に配置している。
【００３８】
前記第１ドアセンサレバ−５５と第２ドアセンサレバ−５６との間に、捩りバネ６１の両端部が掛け止められ、該捩りバネ６１の弾性を介して、第２ドアセンサレバ−５６をピン５４を中心に側枠８と反対方向へ回動可能に付勢し、前記端部６０を係合片５８と係合可能に配置している。
そして、前扉９の閉扉時、前記第２ドアセンサレバ−５６は捩りバネ６１の弾性に抗して、制御レバ−５５と同動可能にされ、中間部に突設したカムレバ−６２を同動可能にしている。
【００３９】
前記カムレバ−６２は第２ドアセンサレバ−５６一体に成形され、その先端部が前記カム板３０の係止爪３０ａ，３０ｂの間に係合可能に配置されていて、シリンダ錠１４の解錠時、つまり前扉９の開扉時に係止爪３０ｂと係合可能にされ、ガラス扉１１の開扉時に前記係止爪３０ａと係合可能にされている。
【００４０】
前記膨出部５２の内側に段部６３が突出成形され、該段部６３の隅角部に通孔６４が形成され、該通孔６４にピン６５の軸端が嵌着されていて、該ピン６５に扉制御レバ−６６が前記第１ドアセンサレバ−５５の内側に隣接して、回動可能に取り付けられている。
前記扉制御レバ−６６に捩りバネ６７の一端が掛け止められ、その他端が膨出部５２に形成した切欠溝６８に掛け止められ、前記バネ６７の弾性を介して、扉制御レバ−６６を図１１上時計方向へ回動可能に付勢し、前記係止爪３０ａと係合可能に配置している。
【００４１】
前記扉制御レバ−６６の他端に係合部である係合片６９が屈曲形成され、該係合片６９がサブロックフレ−ム２２の後述する係合溝に係合可能に配置され、ガラス扉１１の閉扉ないし施錠時における不正開扉を防止可能にしている。
図中、７０はフランジ部２８に隣接して形成した切起し片、７１は長溝、７２は取付片２１ａと起立片２１ｂの内面の所定位置に突設した係止突起である。
【００４２】
前記サブロックフレ−ム２２は鋼板をプレス成形して形成され、これは縦長の鋼板を略Ｚ字状に折り曲げ、該折曲部２２ａを前記ロックフレ−ム２１の幅広部２７の上部に重合して配置可能にされている。
前記折曲部２２ａの上部側に一対の長孔７２，７２が離間して形成され、その中間部に略Ｚ字形状のレバ−取付孔７３が形成され、該取付孔７３に切欠溝７３ａと切欠溝７３ｂとが異軸方向に形成され、該挿入孔７３にガラス扉のセンサレバ−７４が取り付けられている。
【００４３】
前記センサレバ−７４は鋼板を緩やかに湾曲し、その一端に通孔７５を形成し、その他端にガラス扉１１の内面と係合可能な係止片７６を屈曲していて、該係止片７６をレバ−挿入孔２６の外側に配置し、その基端部をレバ−取付孔７３に配置している。
前記センサレバ−７４の通孔７５にピン７７が挿入され、その軸端部を通孔４６に挿入して嵌着し、ピン７７を支点に回動可能に連結され、その基端部に係合片７４ａが屈曲されている。
【００４４】
前記係合片７４ａは、ガラス扉１１の閉扉時に切欠溝７３ａに位置し、ガラス扉１１の開扉時にはセンサレバ−７４が外側へ突出して切欠溝７３ｂ側へ移動し、ガイド片８７の内面に係合して、サブロックフレ−ム２２の復帰動作を阻止し、ガラス扉１１の開扉時における施錠を防止可能にしている。
【００４５】
前記ガラス扉センサレバ−７４の一端部にバネ掛７８を屈曲形成し、該バネ掛７８にスプリング７９の一端を掛け止め、この他端を取付片２１に形成した切起片８０に掛け止めて、前記スプリング７９の弾性を介し、前記センサレバ−７４をピン７７を支点に図１３上反時計方向へ回動可能に付勢し、サブロックフレ−ム２２をシリンダ錠１４側へ移動可能に付勢している。
【００４６】
前記係止片７６はロックフレ−ム２１の外側に突出して配置され、ガラス扉１１の閉扉時に、ガラス扉１１の裏面に係合可能に配置されていて、ガラス扉１１の閉扉時、スプリング７９の弾性に抗して、ガラス扉センサレバ−７４を収縮回動し、かつその際ピン７７に作用する偶力によって、サブロックフレ−ム２２を下方へ移動可能にしている。
【００４７】
一方、ガラス扉センサレバ−７４は、ガラス扉１１の開扉時、スプリング７９の弾性によってピン７７を支点に突出回動し、ロックフレ−ム２１の外側に突出してレバ−挿入孔２６の口縁部に係合し、かつその際係合片７４ａを切欠溝７３ｂに係合して、サブロックフレ−ム２２の上動を阻止可能にしている。図中、８０は取付片２１ａの中間部を内側に切り起した掛止片、８１は起立片２１ｂの中間部に形成した開口部である。
【００４８】
また、前記折曲部２２ａの上部側の一側端部に、略縦長矩形の摺動片８２，８３が離間して屈曲され、該片８２，８３が取付片２１ａ上に摺動可能に収容されていて、該片８２，８３の上下端部にガラス扉用フック片８４，８５が突設されている。
【００４９】
前記ガラス扉用フック片８４，８５は、ガラス扉１１の枠板１１ａに形成した係合孔１０９の開口縁に係合可能に設けられ、このうち下側の摺動片８３に切欠溝８６が形成され、後述するスプリングの一端を掛け止め可能にしている。
図中、８７はサブロックフレ−ム２２の他側端部に屈曲形成したガイド片で、制御フレ−ム２３の移動を規制可能にしている。
【００５０】
前記折曲部２２の下側中間部に、長短異形の二つの係合溝８８，８９が形成され、該係合溝８８，８９を前記長溝７１に連通可能に配置していて、係合溝８８に係止爪３０ａを係合可能に配置し、係合溝８９に係止爪３０ｂを係合可能に配置している。
前記折曲部２２の下端部に係止部である係止溝９０が下向きに形成され、該係止溝９０に前記係合片６９が係合可能に配置され、ガラス扉１１の閉扉時に係合片６９を係止溝９０に係合片６９を配置し、サブロックフレ−ム２２の下動を阻止し、ガラス扉用フック片８４，８５の同動を阻止している。
【００５１】
一方、前記制御フレ−ム２３は縦長の鋼板を略Ｚ字状に折り曲げて、前記ロックフレ−ム２１より若干短小でサブロックフレ−ム２２よりも長尺に形成され、その折曲部２３ａを前記サブロックフレ−ム２２の折曲部２２ａに重合して配置されている。
前記制御フレ−ム２３の上下端部に各一対の切欠溝９１〜９４が形成され、該切欠溝９１，９２、９３，９４に前記掛止片４２，４３、４４，４５が係合可能に挿入されている
【００５２】
前記制御フレ−ム２３の中間部に一対の長孔９５，９５が離間して形成され、該長孔９５，９５にピン９６，９６が挿入され、これが前記長孔７２，７２を貫通し、その軸端部がロックフレ−ム２１に形成した通孔９７，９７に嵌着されている。
また、制御フレ−ム２３の中間部に掛止片９８が外側に切り起こされ、該掛止片９８にスプリング９９の一端が掛け止められ、その他端が前記切欠溝８６に掛け止められ、前記スプリング９９の弾性を介して、制御フレ−ム２３を下方へ移動可能に付勢している。
【００５３】
図中、１００は制御フレ−ム２３の中間部に突出形成した段部で、該段部１００に異形の長孔１０１が形成され、該孔１０１の外側に前記スプリング７９が引き出されている。
前記制御フレ−ム２３の折曲部２３ａより下側に、長短異形の二つの係合溝１０２，１０３が形成され、該係合溝１０２，１０３に係止爪３０ａ，３０ｂを係合可能に配置している。  
【００５４】
図中、４８は制御フレ−ム２３の折曲部２３ａの直下の端縁に突設した係止突起で、前扉１１の閉扉時、第２ドアセンサレバ−５６の他端部に略コ字形状に屈曲形成した係止片４９と係合可能に配置され、制御フレ−ム２３の上動を阻止可能にしている。
この他、図中、１０６〜１０８は制御フレ−ム２３の折曲部２３ａより上側の上端部と中間部、折曲部２３ａより下側の下端部の片側端縁を屈曲した補強片である。
【００５５】
このように構成した遊技機等の施錠装置は、従来のこの種装置と同様に、ロックフレ−ム２１と、キ−操作によって施解錠可能なシリンダ錠１４と、該シリンダ−錠１の施解錠作動に連係して、ロックフレ−ム２２に沿って摺動可能な、サブロックフレ−ム２２と制御フレ−ム２３とを備え、これらを一体的に組み付けて前扉９の自由端部側の裏面に取り付けている。
【００５６】
すなわち、前記ロックフレ−ム２１は従来のロックフレ−ムと同様に、上下端部にフック片を取り付け、該フック片を本体枠４に設けた第１係止金具１７，１８の屈曲片１７ａ，１８ａに係合可能に設けている。
また、前記シリンダ錠１４をロックフレ−ム２１の取付片２１ａに取り付け、該シリンダ錠１４の錠軸２９にカム板３０を装着し、該カム板３０に二つの係止爪３０ａ，３０ｂを突設している。
【００５７】
前記サブロックフレ−ム２２は、ガラス扉１１の開口部に係入可能なフック片８４，８５と、ピン９６を挿入可能な長孔７２と、前記係止爪３０ａを係合可能な係合溝８８と長孔８９を形成している。前記制御フレ−ム２３は、ピン９６を挿入可能な長孔９５と、長孔１０２と、前記係止爪３０ｂを係合可能な係合溝１０３を形成している。
【００５８】
しかしながら、本発明のロックフレ−ム２１は、起立片２１ｂの上下端部に各一対のフック片３２，３３、３４，３５を備え、その各一対を対向して配置するとともに、その一方のフック片３２，３４をロックフレ−ム２１の長さ方向に上下動可能にし、他方のフック片３３，３５を上下方向に回動可能に取り付け、それらを第１係止金具１７，１８の屈曲片１７ａ，１８ａの両側に係脱可能に配置している。
【００５９】
また、前記ロックフレ−ム２１は、下側のフック片３４，３５の直上の起立片２１ｂに膨出部５２を設け、該膨出部５２に第１ドアセンサレバ−５５と、第２ドアセンサレバ−５６を同軸上に回動可能に取り付け、これらの近接位置に扉制御レバ−６６を回動可能に取り付けている。
【００６０】
本発明のサブロックフレ−ム２２は、中間部にガラス扉センサレバ−７４の取り付け用のレバ−取付孔７３が形成され、その下端部に扉制御レバ−６６の係合片６９と係合可能な係止溝９０が形成されている。
更に、本発明の制御フレ−ム２３は、上下端部に切欠溝９１〜９４を形成し、これらにフック片３２，３３、３４，３５の基端部に設けた掛止片４２，４３、４４，４５を係合可能にするとともに、中間部に係止突起１０４を形成し、第２センサレバ−５６の係止片１０５と係合可能にしている。
【００６１】
次に、本発明のロックフレ−ム２１に、サブロックフレ−ム２２と制御フレ−ム２３を組み付ける場合は、先ずロックフレ−ム２１の起立片２１ｂの上下端部に、各一対のフック片３２，３３、３４，３５を向き合わせて配置し、これらをガイドピン３８，３９を介して上下動可能に取り付け、また枢支ピン４０，４１を介して回動可能に取り付ける。
【００６２】
そして、前記ロックフレ−ム２１の内側にサブロックフレ−ム２２を収容し、そのガラス扉用フック片８４，８５を取付片２１ａの長孔２４，２５に挿入する。
また、レバ−挿入孔２６の外側からガラス扉センサレバ−７４を挿入し、該レバ−７４の基端部をレバ−取付孔７３に配置し、その通孔７５にピン７７を差し込み、その軸端部を起立片２１ｂ側の通孔４６に挿入して嵌着する。
【００６３】
この後、ロックフレ−ム２１の内側に制御フレ−ム２３を収容し、その上下端部の切欠溝９１〜９４を前記フック片３２〜３５の掛止片４２〜４５に係合し、長孔９５，９５の外側からピン９６を挿入し、これをサブロックフレ−ム２２の長孔７２，７２を貫通して通孔９７に差し込み、その軸端部を嵌着する。
そして、長孔１０１の外側に突出したバネ掛７８に、スプリング７９の一端を掛け止め、その他端を掛止片８０に掛け止めるとともに、制御フレ−ム２３の掛止片９８にスプリング９９の一端を掛け止め、その他端を切欠溝８６に掛け止める。
【００６４】
次に、ロックフレ−ム２１の取付片２１ａの下側に、シリンダ錠１４と一体の錠フランジ２８をビス止めし、その錠軸２９に装着したカム板３０の係止爪３０ａ，３０ｂを、内外の係合溝８８，８９、９３，９４に係合可能に配置する。
【００６５】
この後、第１ドアセンサレバ−５５と第２ドアセンサレバ−５６を、ピン５４を介して同軸上に回動可能に取り付け、それらを捩りバネ５７，６１によって、時計方向または反時計方向へ回動可能に付勢する。
また、第１ドアセンサレバ−５５の近接位置に、扉制御レバ−６６をピン６５を介して回動可能に取り付け、これを捩りバネ６７によって時計方向へ回動可能に付勢する。
【００６６】
こうして、ロックフレ−ム２１と、サブロックフレ−ム２２と制御フレ−ム２３とを一体的に組み付け後、その取付片２１ａを前扉９の自由端部側の裏面に上下方向に密着し、その所定位置をビス止めして取り付ける。この状況は図４のようである。
このうち、前記制御フレ−ム２３は、スプリング９９の弾性によって下方へ引き寄せられ、下側の係止突起４８が第２ドアセンサレバ−５６の係合片４９の回動域に位置する。
一方、サブロックフレ−ム２２は、前記スプリング９９の弾性によって上方へ引き寄せられ、その下端部の係止溝９０が、扉制御レバ−６６の係合片６９の回動域に位置する。
【００６７】
一方、前記ロックフレ−ムアセンブリと対応する側枠８の内面の上下位置に、第１係止金具１７，１８を取り付け、その内側に屈曲片１７ａ，１８ａを突出して配置し、その下側の第１係止金具１８の直上に第２係止金具１９を取り付け、その上部側に略Ｌ字形の係合片２０を内側に突出して配置する。この状況は図３のようである。
【００６８】
本発明の施錠装置を装着した遊技機３は図１のようで、その遊技時は前扉９とガラス扉１１が閉扉され、それらが施錠されている。
このうち、前扉９の施錠時は、前扉９の自由端部側の裏面に配置した各一対のフック片３２，３３、フック片３４，３５が、第１係止金具１７，１８の屈曲片１７ａ，１８ａの両側に係合し、前扉９の解錠ないし開扉を阻止している。したがって、一つの係止金具に一つのフック片を係合させる従来の施錠装置に比べ、不正解錠を強力に阻止し、強力な施錠状態を得られる。
【００６９】
また、前扉９の閉扉によって、第１ドアセンサレバ−５５の係合片５８が第２係止金具１９の係合片２０に当接し、該センサレバ−５５の他端の係合片５９が、第２ドアセンサレバ−５６の一端の係合片６０に係合し、該第２ドアセンサレバ−５６と一体のカムレバ−６２の先端部が、一方の係止爪３０ｂと係合可能に位置している。
【００７０】
更に、前記第２ドアセンサレバ−５６の作動によって、他端の係合片４９が制御フレ−ム２３の係止突起４８に係合し、制御フレ−ム２３の上動を阻止し、該フレ−ム２３の上動による前扉９の不正解錠を阻止可能にしている。この状況は図１４および図１６のようである。
【００７１】
このような状況の下で前扉９を開扉する場合は、キ−（図示略）をシンリンダ錠１４の鍵孔（図示略）に差し込み、これを解錠方向へ回動操作する。
このようにすると、シンリンダ錠１４に内蔵したシリンダ（図示略）が回動し、これに錠軸２９が同動して、錠軸２９に装着したカム板３０が図１４上反時計方向へ回動し、一方の係止爪３０ｂが隣接するカムレバ−６２に係合する。
【００７２】
このため、カムレバ−６２が、捩りバネ６１の弾性に抗して図１４上時計方向へ回動し、その一端の係合片４９が係止突起４８から離間して、係止突起４８との係合を解除する
この後、係止爪３０ｂが係合溝１０３の口縁部に係合し、制御フレ−ム２３をスプリング９９の弾性に抗して図１４上上動させる。
【００７３】
前記キ−が更に回動操作され、カム板３０が更に回動して、カムレバ−６２が押し回され、係合片４９が係止突起４８から離間するとともに、制御フレ−ム２３が押し上げられ、係止爪３０ｂが扉制御レバ−６６の先端部に接近したところで、前記回動が停止される  その間、サブロックフレ−ム２２は静止状態を保持する。
【００７４】
こうして、制御フレ−ム２３が上動すると、その上下端部に形成した切欠溝９１〜９４が同動し、これらの切欠溝９１〜９４に係合した掛止片４２，４５が引き動かされる。
このため、フック片３２，３４が長孔３６，３７に沿って上動し、またフック片３３，３５が枢支ピン４０，４１を中心に図１４上時計方向へ回動して傾き、それらが各屈曲片１７ａ，１８ａの係合縁から離間し、それらが係合を解除する。このため、前扉９が解錠され、開扉可能になる。この状況は図４および図１５のようである。
【００７５】
こうして、前扉９が開扉されると、第１ドアセンサレバ−５５の係合片５８が第２係止金具１９の係合片２０から離間し、該センサレバ−５５が捩りバネ５７の弾性によって、ピン５４を中心に図１５上時計方向へ復帰回動し、この他端の係合片５９が第２ドアセンサレバ−５６の一端の係合片６０に係合して、該第２ドアセンサレバ−５６を同方向へ押し回わされる。
したがって、カムレバ−６２が同方向へ回動するが、該レバ−６２と扉制御レバ−６６とは回動域が異なるため、カムレバ−６２が扉制御レバ−６６に当接することはない。
【００７６】
このような状況の下で前扉９を閉扉し施錠する場合は、キ−（図示略）をシンリンダ錠１４の鍵孔（図示略）に差し込み、または解錠後に鍵孔にキ−を差し込んだまま、該キ−を施錠方向へ回動操作する。
このようにすると、シンリンダ錠１４に内蔵したシリンダ（図示略）が回動し、これに錠軸２９が同動して、錠軸２９に装着したカム板３０が図１５上時計方向へ回動し、一方の係止爪３０ｂが同方向へ回動して係合溝１０３に係合し、制御フレ−ム２３がスプリング９９の弾性によって下方へ引き戻される。
【００７７】
このため、制御フレ−ム２３の上下端部に形成した切欠溝９１〜９４が同動し、これらの切欠溝９１〜９４に係合した掛止片４２〜４５が引き動かされる。
すなわち、フック片３２，３４が長孔３６，３７に導かれて引き下げられ、またフック片３３，３５がピン４０，４１を中心に図１５上反時計方向へ回動して起立し、それらが平行に向き合って後方に突出する。この状況は図７乃至図９のようである。
【００７８】
こうして前扉９を閉回動し、その回動終期に差し掛かると、前扉９の自由端部側の裏面の上下位置に配置したフック片３２，３３、３４，３５が、第１係止金具１７，１８の屈曲片１７ａ，１８ａの上下端縁に接近し、また第１ドアセンサレバ−５５の係合片５８が第２係止金具１９の係合片２０に接近する。この状況は図１８のようである。
【００７９】
この後、前扉９が更に閉回動すると、フック片３２，３３、３４，３５の先端のテ−パ部が、第１係止金具１７，１８の屈曲片１７ａ，１８ａの上下端縁に係合し、一方のフック片３２，３４が長孔３６，３７に沿って押し上げられ、他方のフック片３３，３５がピン４０，４１を中心に時計方向へ回動し始める。
【００８０】
また、第１ドアセンサレバ−５５の係合片５８が、第２係止金具１９の係合片２０に当接し、前記センサレバ−５５が捩りバネ５７の弾性に抗して、ピン５４を中心に時計方向へ回動し始め、この他端の係合片５９が、第２ドアセンサレバ−５６の係合片６０に係合する。
このため、第２ドアセンサレバ−５６がピン５４を中心に時計方向へ回動し、該レバ−５６と一体のカムレバ−６２がこれに同動するとともに、前記センサレバ−５６の一端の係止片４９が、制御フレ−ム２３の係止突起４８に接近する。この状況は図１９のようである。
【００８１】
この後、前扉９が更に閉回動すると、フック片３２，３３、３４，３５のテ−パ部の基部側が、第１係止金具１７，１８の屈曲片１７ａ，１８ａの上下端縁に係合し、一方のフック片３２，３４が長孔３６，３７の押し上げられ、他方のフック片３３，３５がピン４０，４１を中心に更に下向きに回動する。
このため、掛止片４２〜４５がフック片３２，３３、３４，３５に同動し、該掛止片４２〜４５に係合する切欠溝９１〜９４を介して制御フレ−ム２３が上動し、係止突起４８が係止片４９に近接する。
【００８２】
また、第１ドアセンサレバ−５５の係合片５８と、第２係止金具１９の係合片２０との当接変位が増大し、前記センサレバ−５５が前述と同方向へ更に回動し、第２ドアセンサレバ−５６が前述と同方向へ更に回動する。
そして、前記レバ−５６と一体のカムレバ−６２がこれに同動し、前記係止片４９が係止突起４８に接近する。この状況は図２０のようである。
【００８３】
こうして前扉９が更に閉回動し、前記フック片３２，３３、３４，３５のテ−パ部の基端が、屈曲片１７ａ，１８ａの上下端縁に係合すると、一方のフック片３２，３４が長孔３６，３７の長さ分押し上げられ、他方のフック片３３，３５がピン４０，４１を中心に更に下向きに回動し、制御フレ−ム２３がスプリング９９の弾性に抗して更に上動する。
このため、係止突起４８が係止片４９から離間し、つまり係止突起４８が係止片４９の直上に移動し、一方、第２ドアセンサレバ−５６が前述と同方向へ更に回動する。
【００８４】
この後、前扉９が更に閉回動し、フック片３２，３３、３４，３５のテ−パ部の基端が、屈曲片１７ａ，１８ａの上下端縁を越えて本体枠４内に進入すると、各一対のフック片３２，３３、３４，３５と屈曲片１７ａ，１８ａの両側縁との間に空隙が形成される。
このため、制御フレ−ム２３がスプリング９９の弾性によって引き下げられ、係止突起４８が係止片４９に係合する。したがって、制御フレ−ム２３の上動が阻止され、該フレ−ム２３の上動による前扉９の不正解錠および不正開扉が阻止される。
【００８５】
また、前記制御フレ−ム２３の下動に切欠溝９１〜９４が同動し、該溝９１〜９４に係合する掛止片４２〜４５を介して、一方のフック片３２，３４が下方に引き動かされ、他方のフック片３３，３５がスプリング９９の弾性によって、枢支ピン４０，４１を中心に反時計方向へ起立回動し、それらが屈曲片１７ａ，１８ａの上下端縁に向き合って係合し、前扉９の施錠状態を形成する。この状況は図１６のようである。
【００８６】
一方、遊技機３の遊戯時は前扉９とガラス扉１１が閉扉され、それらが施錠されている  ガラス扉１１の施錠時は、スプリング９９の弾性によって、サブロックフレ−ム２２が上方へ引き寄せられ、その下端部の係止溝９０が扉制御レバ−６６の係合片６９の回動域に位置し、常時は係止溝９０に係合片６９が係合可能に近接している。
したがって、サブロックフレ−ム２２の下動が阻止され、前記下動によるガラス扉１１の解錠ないし開扉が阻止されるから、ガラス扉１１の不正解錠ないし不正開扉が阻止される。この状況は図１４および図１７のようである。
【００８７】
また、ガラス扉１１の閉扉時は、ガラス扉用フック片８４，８５が、ガラス扉１１の枠板１１ａに形成した係合孔１０９の外側に突出し、係合孔１０９の開口縁に係合可能に位置し、その開扉を阻止している。この状況は図２および図１６のようである。
更に、ガラス扉１１の閉扉時は、ガラス扉センサレバ−７４の先端の係止片７６がガラス扉１１の枠板１１ａに当接し、その基端部がスプリング７９の弾性に抗して前記ロックフレ−ム２２の内側に押し込められ、その基端部側の係合片７４ａが切欠溝７３ａに位置している。
【００８８】
このような状況の下でガラス扉１１を開扉する場合は、キ−（図示略）をシンリンダ錠１４の鍵孔（図示略）に差し込み、これを前扉９の解錠方向と反対方向へ回動操作する。
このようにすると、シンリンダ錠１４に内蔵したシリンダ（図示略）が回動し、これに錠軸２９が同動して、錠軸２９に装着したカム板３０が図１７上時計方向へ回動し、一方の係止爪３０ａが同方向へ回動して扉制御レバ−６６に係合する。
【００８９】
このため、扉制御レバ−６６が捩りバネ６７の弾性に抗して、ピン６５を中心に図１４および図１７上反時計方向へ回動し、この他端の係合片６９が係止溝９０から離間して、サブロックフレ−ム２２の施錠状態を解除し、該ロックフレ−ム２２の下動域を解放する  この状況は図２１のようである。
【００９０】
この後、キ−の解錠操作を続行すると、係止爪３０ａが係合溝８８に係合し、サブロックフレ−ム２２が図２１上右方へ移動して、下方へ移動する。
このため、ガラス扉用フック片８４，８５がサブロックフレ−ム２２と同動し、前記係合孔１０９の開口縁から離間して、それらの係合を解除する。
したがって、この後、ガラス扉１１の開扉が可能になる。
【００９１】
こうしてガラス扉１１が開扉されると、枠板１１ａが係止片７６から離間し、係止片７６に対する押圧を解消するため、ガラス扉センサレバ−７４がスプリング７９の弾性によってピン７９を中心に図２上反時計方向へ回動し、基端部側の係合片７４ａがレバ−取付孔７３の切欠溝７３ａに係合する。
このため、係止片７６がスプリング７９の弾性によって、切欠溝７３ａの口縁部を圧接し、スプリング９９の弾性によるサブロックフレ−ム２２の上方への復帰を阻止し、該ロックフレ−ム２２の解錠位置を保持する。この状況は図１３のようである。
【００９２】
したがって、ガラス扉１１の開扉時、スプリング９９の弾性またはシリンダ錠１４のキ−操作によって、サブロックフレ−ム２２が原位置に移動した際、時計方向へ回動可能に付勢された扉制御レバ−６６によって、その係合片６９が係止溝９０に係合して施錠される事態を未然に防止し、使用上の安全を確保している。
【００９３】
このような安全措置は、前扉９の開扉状態でガラス扉１１が開扉され場合でも、同様機能する。
すなわち、前扉９が開扉されると、図１８のように第１およびガラス扉制御レバ−５５，５６が回動するが、サブロックフレ−ム２２はこれらに影響を受けずに施錠位置に置かれ、また扉制御レバ−６６の作動は、前記ガラス扉制御レバ−５５，５６に連係せず、その施錠位置に置かれているから、前扉９の閉扉におけるガラス扉１１の開扉状態と同様に作動し、前述と同様な安全性を得られる。
【００９４】
図２２は本発明の第２の実施形態を示し、前述の実施形態と対応する構成部に同一の符号を用いている。また、図２２はこの実施形態の要部であるロックフレ−ム２１の一端部のみを示し、同様な構成の他端部や、サブロックフレ−ム２２の構成を省略している。
すなわち、この実施形態は、側枠８の一端に略Ｌ字形の第１係止金具１７を取り付け、その屈曲片１７ａに係合孔１０９を形成し、該係合孔１０９に略鎌形のフック片１１０の先端部を係脱可能に配置している。
【００９５】
前記フック片１１０は略コ字形に形成され、その中間部をピン１１１を介して、フック片３３の先端部に回動可能に連結し、その一端部をフック片３３の先端部から突出している。前記フック片１１０の他端部は起立片２１ｂの内面に配置され、この他端部をピン１１２を介して、カム溝１１３に摺動可能に係入している。
前記カム溝１１３は起立片２１ｂの端部に斜状に形成され、該カム溝１１３の一端部の近接位置にフック片３３の基端部側が枢支ピン４０を介して回動可能に連結されている。
【００９６】
また、前記フック片３３の基端部に、制御フレ−ム２３の一端部がピン１１４を介して回動可能に連結され、前記制御フレ−ム２３の軸方向の作動によって、前記フック片３３を起立または傾倒可能にされ、その起立時に前記フック片１１０の先端部を係合孔１０９に係合可能に配置し、その傾倒時に前記フック片１１０の先端部を係合孔１０９から引き抜き、それらの係合を解除可能に配置している。
【００９７】
この実施形態において前扉９の閉扉時は図２２（ａ）のようで、前記制御フレ−ム２３がスプリング９９の弾性によって矢視方向に移動可能に付勢され、フック片３３がピン４０を支点に起立し、フック片１１０の基端部のピン１１２がカム溝１１３の先端部に位置し、その先端部が係合孔１０９に係合して施錠状態を形成し、前扉９の閉扉状態を維持する。
【００９８】
この状況の下で前扉９を開扉する場合は、シリンダ錠１４をキ−操作して解錠し、制御フレ−ム２３を施錠時と反対方向へ移動する。
このようにすると、フック片３３がピン４０を支点に時計方向へ回動し、これにフック片１１０が連動し、その基端部のピン１１２がカム溝１１３の基部側へ移動し、先端部が係合孔１０９から引き抜かれて施錠状態を解除し、前扉９の開扉が可能になる。
この状況は図２２（ｂ）のようで、同図は開扉当初を示し、開扉完了時を図２２（ｃ）で示している。
【００９９】
このようにこの実施形態は、フック片１１０の作動を制御フレ−ム２３とフック片３３に連係し、フック片１１０の先端部を係合孔１０９に係合することによって、フック片３３と第１係止金具１７との係合を確実かつ強固に行なうようにしている。
【産業上の利用可能性】
【０１００】
このように本発明の遊技機等の施錠装置は、不正工具による解錠ないし開扉を阻止し、前扉やガラス扉の施錠の防御能力を強化できるから、例えばパチンコ機やスロットマシンの前扉やガラス扉の施錠装置に好適である。
【図面の簡単な説明】
【０１０１】
【図１】本発明を適用したパチンコ機の取り付け状況を示す斜視図で、島の固定枠にパチンコ機の基枠を取り付けている。
【図２】図１のＡ−Ａ線に沿う拡大断面図である。
【図３】本発明を適用したパチンコ機と基枠との取り付け状態を示す斜視図である。
【図４】図３の左側面の状態を示す斜視図である。
【図５】本発明に適用した第１係止片を側枠に取り付けた状況を示す斜視図である。
【０１０２】
【図６】本発明に適用した第１および第２係止片を側枠に取り付けた状況を示す斜視図である。
【図７】図４の要部を拡大して示す斜視図で、本発明の施錠装置の下部状況を図示している。
【図８】図４の要部を拡大して示す斜視図で、本発明の施錠装置の上部状況を図示している。
【図９】本発明の要部であるロックフレ−ムと、サブロックフレ−ムと制御フレ−ムの組み立て状況を示す斜視図で、前扉の開扉時における状況を示している。
【０１０３】
【図１０】図９の左側面の状態を示す斜視図である。
【図１１】本発明の要部であるロックフレ−ムと、サブロックフレ−ムと制御フレ−ムを分解して示す斜視図である。
【図１２】本発明の要部であるロックフレ−ムと、サブロックフレ−ムの組み立て状況を示す斜視図である。
【図１３】図１２の要部を拡大して示す斜視図で、サブロックフレ−ムに扉センサレバ−を取り付けた状況と、その突出状況を示している。
【０１０４】
【図１４】本発明の要部であるロックフレ−ムと、サブロックフレ−ムと制御フレ−ムの組み立て状況を示す斜視図で、前扉の閉扉時における状況を示している。
【図１５】本発明の要部であるロックフレ−ムと、サブロックフレ−ムと制御フレ−ムの組み立て状況を示す斜視図で、シリンダ錠をキ−操作して解錠し、制御フレ−ムが解錠方向へ移動した状態を示している。
【図１６】本発明の施錠装置の作動状態の要部を示す断面図で、前扉を閉扉後、第１ドアセンサレバ−が第２係止片に当接し、各一対のフック片が第１係止片に係合している施錠状況を示している。
【０１０５】
【図１７】図９の要部を拡大して示す斜視図で、サブロックフレ−ムの係止溝に扉制御レバ−の係合部が係合する、サブロックフレ−ムの施錠状況を示している。
【図１８】本発明の施錠装置の作動状態の要部を示す断面図で、前扉の閉扉直前の状況を示している。
【図１９】本発明の施錠装置の作動状態の要部を示す断面図で、前扉の閉扉直後の状況を示し、第１ドアセンサレバ−が第２係止片に当接し、各一対のフック片の間に第１係止片の屈曲片が係入し、一方のフック片が移動し、他方のフック片が回動し始めた離反状況を示している。
【０１０６】
【図２０】本発明の施錠装置の作動状態の要部を示す断面図で、前扉の閉扉途中の状況を示し、第１ドアセンサレバ−が第２係止片に当接し、各一対のフック片の間に第１係止片の屈曲片が係入し、一方のフック片が更に移動し、他方のフック片が更に回動した離反状況を示している。
【図２１】本発明の施錠装置の作動状態の要部を示す斜視図で、前扉の閉扉時にガラス扉を解錠する際、扉制御レバ−が回動し、その係合片がサブロックフレ−ムの係合溝との係合を解除した状況を示している
【図２２】本発明の他の実施形態の要部を示す斜視図で、同図（ａ）は前扉の施錠状態を示し、同図（ｂ）は前扉の解錠初期の状態を示し、同図（ｃ）は前扉の解錠後の状態を示している。
【符号の説明】
【０１０７】
３                  遊技機（パチンコ機）
４                  基枠
９                  主扉（前扉）
１１                副扉（ガラス扉）
１１ａ              枠板
１４                錠前（シリンダ錠）
【０１０８】
１７，１８          係止片
１９                第２係止片
２１                ロックフレ−ム
２２                サブロックフレ−ム
２３                制御フレ−ム
３０                カム板
【０１０９】
３０ａ，３０ｂ      係止爪
３２〜３５          フック片
４２〜４５          掛止片
４８                係止突起
４９                係止片
５５                第１ドアセンサレバ−
【０１１０】
５６                第２ドアセンサレバ−
６２                カムレバ−
６９                係合部（係合片）
７４                ドアセンサレバ−
９０                係止溝
９１〜９４          切欠溝
１０９              係合孔
１１０              フック片
【図１】
2008023203.tif 000003
【図２】
2008023203.tif 000004
【図３】
2008023203.tif 000005
【図４】
2008023203.tif 000006
【図５】
2008023203.tif 000007
【図６】
2008023203.tif 000008
【図７】
2008023203.tif 000009
【図８】
2008023203.tif 000010
【図９】
2008023203.tif 000011
【図１０】
2008023203.tif 000012
【図１１】
2008023203.tif 000013
【図１２】
2008023203.tif 000014
【図１３】
2008023203.tif 000015
【図１４】
2008023203.tif 000016
【図１５】
2008023203.tif 000017
【図１６】
2008023203.tif 000018
【図１７】
2008023203.tif 000019
【図１８】
2008023203.tif 000020
【図１９】
2008023203.tif 000021
【図２０】
2008023203.tif 000022
【図２１】
2008023203.tif 000023
【図２２】
2008023203.tif 000024